(57)【要約】【課題】  いつでもアドホック接続設定情報を取得可能とし、そのアドホック接続設定情報を取得した端末装置同士でアドホック接続を容易に形成可能とする無線通信システムを提供する。【解決手段】  アドホック接続設定情報配布装置１は赤外線通信部１８を介して端末装置２−１，２−２に対してアドホック接続設定情報を常時配布しており、端末装置２−１，２−２はアドホック接続設定情報配布装置１からいつでもアドホック接続設定情報を取得可能となる。端末装置２−１，２−２はアドホック接続設定情報配布装置１から取得したアドホック接続設定情報を自動設定することで、同じアドホックネットワークの設定を共有する。アドホック接続設定情報配布装置１の無線インタフェース部１７と端末装置２−１，２−２とは現在配布されているアドホック接続設定情報のアドホックネットワークを形成する。【選択図】      図１
2006310996.tif 000002
【特許請求の範囲】
【請求項１】
端末装置同士が直接無線にて接続するアドホック接続が可能な無線通信システムであって、
前記アドホック接続のためのアドホック接続設定情報を前記端末装置に常時配布するアドホック接続設定情報配布装置を有することを特徴とする無線通信システム。
【請求項２】
前記アドホック接続設定情報配布装置は、前記アドホック接続設定情報を情報配信媒体を用いて配布することを特徴とする請求項１記載の無線通信システム。
【請求項３】
前記情報配信媒体は、少なくとも無線、赤外線、可視光、ｂｌｕｅｔｏｏｔｈ（登録商標）、非接触ＩＣカード、ＱＲ（Ｑｕｉｃｋ  Ｒｅｓｐｏｎｓｅ）コード、ＲＦＩＤ（Ｒａｄｉｏ  Ｆｒｅｑｕｅｎｃｙ  ＩＤｅｎｔｉｆｉｃａｔｉｏｎ）タグのいずれかであることを特徴とする請求項２記載の無線通信システム。
【請求項４】
前記アドホック接続設定情報配布装置は、前記端末装置からの変更依頼に応答して配布する前記アドホック接続設定情報を変更することを特徴とする請求項１から請求項３のいずれか記載の無線通信システム。
【請求項５】
前記アドホック接続設定情報配布装置は、前記端末装置との間で無線通信を行う無線インタフェースと、その時点で配布している前記アドホック接続設定情報を前記無線インタフェースに設定する手段とを含み、
当該アドホック接続設定情報を取得して設定している端末装置が、前記アドホック接続設定情報配布装置との間で無線通信可能であることを特徴とする請求項１から請求項４のいずれか記載の無線通信システム。
【請求項６】
前記アドホック接続設定情報配布装置は、周辺の無線の利用状況をサーチする手段と、そのサーチ結果を基に利用されていないアドホック接続設定情報を生成して配布する手段とを含むことを特徴とする請求項１から請求項５のいずれか記載の無線通信システム。
【請求項７】
前記アドホック接続設定情報配布装置は、自装置とアドホック接続をしている端末装置の台数をサーチする手段と、そのサーチ結果が前記端末装置から指定された制限台数に達した時に配布する前記アドホック接続設定情報を変更する手段とを含むことを特徴とする請求項１から請求項６のいずれか記載の無線通信システム。
【請求項８】
前記アドホック接続設定情報配布装置が、前記端末装置のうちのいずれかであることを特徴とする請求項１から請求項７のいずれか記載の無線通信システム。
【請求項９】
端末装置同士が直接無線にて接続するアドホック接続が可能な無線通信システムにおいて、前記アドホック接続のためのアドホック接続設定情報を前記端末装置に常時配布する手段を有することを特徴とするアドホック接続設定情報配布装置。
【請求項１０】
前記アドホック接続設定情報を情報配信媒体を用いて配布することを特徴とする請求項９記載のアドホック接続設定情報配布装置。
【請求項１１】
前記情報配信媒体は、少なくとも無線、赤外線、可視光、ｂｌｕｅｔｏｏｔｈ（登録商標）、非接触ＩＣカード、ＱＲ（Ｑｕｉｃｋ  Ｒｅｓｐｏｎｓｅ）コード、ＲＦＩＤ（Ｒａｄｉｏ  Ｆｒｅｑｕｅｎｃｙ  ＩＤｅｎｔｉｆｉｃａｔｉｏｎ）タグのいずれかであることを特徴とする請求項１０記載のアドホック接続設定情報配布装置。
【請求項１２】
前記端末装置からの変更依頼に応答して配布する前記アドホック接続設定情報を変更することを特徴とする請求項９から請求項１１のいずれか記載のアドホック接続設定情報配布装置。
【請求項１３】
前記端末装置との間で無線通信を行う無線インタフェースと、その時点で配布している前記アドホック接続設定情報を前記無線インタフェースに設定する手段とを含み、
当該アドホック接続設定情報を取得して設定している端末装置と自装置との間で無線通信可能とすることを特徴とする請求項９から請求項１２のいずれか記載のアドホック接続設定情報配布装置。
【請求項１４】
周辺の無線の利用状況をサーチする手段と、そのサーチ結果を基に利用されていないアドホック接続設定情報を生成して配布する手段とを含むことを特徴とする請求項９から請求項１３のいずれか記載のアドホック接続設定情報配布装置。
【請求項１５】
自装置とアドホック接続をしている端末装置の台数をサーチする手段と、そのサーチ結果が前記端末装置から指定された制限台数に達した時に配布する前記アドホック接続設定情報を変更する手段とを含むことを特徴とする請求項９から請求項１４のいずれか記載のアドホック接続設定情報配布装置。
【請求項１６】
他の装置との間で直接無線にて接続するアドホック接続が可能な端末装置であって、前記アドホック接続のためのアドホック接続設定情報を前記他の装置に常時配布する手段を有することを特徴とする端末装置。
【請求項１７】
前記アドホック接続設定情報を情報配信媒体を用いて配布することを特徴とする請求項１６記載の端末装置。
【請求項１８】
前記情報配信媒体は、少なくとも無線、赤外線、可視光、ｂｌｕｅｔｏｏｔｈ（登録商標）、非接触ＩＣカード、ＱＲ（Ｑｕｉｃｋ  Ｒｅｓｐｏｎｓｅ）コード、ＲＦＩＤ（Ｒａｄｉｏ  Ｆｒｅｑｕｅｎｃｙ  ＩＤｅｎｔｉｆｉｃａｔｉｏｎ）タグのいずれかであることを特徴とする請求項１７記載の端末装置。
【請求項１９】
前記他の装置からの変更依頼に応答して配布する前記アドホック接続設定情報を変更することを特徴とする請求項１６から請求項１８のいずれか記載の端末装置。
【請求項２０】
前記他の装置との間で無線通信を行う無線インタフェースと、その時点で配布している前記アドホック接続設定情報を前記無線インタフェースに設定する手段とを含み、
当該アドホック接続設定情報を取得して設定している他の装置と自装置との間で無線通信可能とすることを特徴とする請求項１６から請求項１９のいずれか記載の端末装置。
【請求項２１】
周辺の無線の利用状況をサーチする手段と、そのサーチ結果を基に利用されていないアドホック接続設定情報を生成して配布する手段とを含むことを特徴とする請求項１６から請求項２０のいずれか記載の端末装置。
【請求項２２】
自装置とアドホック接続をしている他の装置の台数をサーチする手段と、そのサーチ結果が予め指定された制限台数に達した時に配布する前記アドホック接続設定情報を変更する手段とを含むことを特徴とする請求項１６から請求項２１のいずれか記載の端末装置。
【請求項２３】
端末装置同士が直接無線にて接続するアドホック接続が可能な無線通信システムに用いるアドホック接続設定情報配布方法であって、アドホック接続設定情報配布装置が、前記アドホック接続のためのアドホック接続設定情報を前記端末装置に常時配布する処理を実行することを特徴とするアドホック接続設定情報配布方法。
【請求項２４】
前記アドホック接続設定情報配布装置が、前記アドホック接続設定情報を情報配信媒体を用いて配布する処理を実行することを特徴とする請求項２３記載のアドホック接続設定情報配布方法。
【請求項２５】
前記情報配信媒体が、少なくとも無線、赤外線、可視光、ｂｌｕｅｔｏｏｔｈ（登録商標）、非接触ＩＣカード、ＱＲ（Ｑｕｉｃｋ  Ｒｅｓｐｏｎｓｅ）コード、ＲＦＩＤ（Ｒａｄｉｏ  Ｆｒｅｑｕｅｎｃｙ  ＩＤｅｎｔｉｆｉｃａｔｉｏｎ）タグのいずれかであることを特徴とする請求項２４記載のアドホック接続設定情報配布方法。
【請求項２６】
前記アドホック接続設定情報配布装置が、前記端末装置からの変更依頼に応答して配布する前記アドホック接続設定情報を変更する処理を実行することを特徴とする請求項２３から請求項２５のいずれか記載のアドホック接続設定情報配布方法。
【請求項２７】
前記アドホック接続設定情報配布装置が、前記端末装置との間で無線通信を行う無線インタフェースにその時点で配布している前記アドホック接続設定情報を設定する処理を実行し、
当該アドホック接続設定情報を取得して設定している端末装置が、前記アドホック接続設定情報配布装置との間で無線通信可能であることを特徴とする請求項２３から請求項２６のいずれか記載のアドホック接続設定情報配布方法。
【請求項２８】
前記アドホック接続設定情報配布装置が、周辺の無線の利用状況をサーチする処理と、そのサーチ結果を基に利用されていないアドホック接続設定情報を生成して配布する処理とを実行することを特徴とする請求項２３から請求項２７のいずれか記載のアドホック接続設定情報配布方法。
【請求項２９】
前記アドホック接続設定情報配布装置が、自装置とアドホック接続をしている端末装置の台数をサーチする処理と、そのサーチ結果が前記端末装置から指定された制限台数に達した時に配布する前記アドホック接続設定情報を変更する処理とを実行することを特徴とする請求項２３から請求項２８のいずれか記載のアドホック接続設定情報配布方法。
【請求項３０】
前記アドホック接続設定情報配布装置が、前記端末装置のうちのいずれかであることを特徴とする請求項２３から請求項２９のいずれか記載のアドホック接続設定情報配布方法。
【請求項３１】
端末装置同士が直接無線にて接続するアドホック接続が可能な無線通信システムに用いるアドホック接続設定情報配布方法のプログラムであって、コンピュータに、前記アドホック接続のためのアドホック接続設定情報を前記端末装置に常時配布する処理を実行させるためのプログラム。
【発明の詳細な説明】
【技術分野】
【０００１】
本発明は無線通信システム、アドホック接続設定情報配布装置、端末装置及びそれらに用いるアドホック接続設定情報配布方法並びにそのプログラムに関し、特にアドホック（Ａｄ−ｈｏｃ）接続に用いるアドホック接続設定情報の配布方法に関する。
【背景技術】
【０００２】
従来、アドホック接続を行うためには、アドホック接続を行いたいユーザに、共通の設定情報［認証方式、ＥＳＳＩＤ（Ｅｘｔｅｎｄｅｄ  Ｓｅｒｖｉｃｅ  Ｓｅｔ  ＩＤｅｎｔｉｆｉｅｒ）、ＷＥＰ（Ｗｉｒｅｄ  Ｅｑｕｉｖａｌｅｎｔ  Ｐｒｉｖａｃｙ）キー等］を自分で作成し、事前に通知させる必要があるため、ユーザの作業負担が大きい。
【０００３】
また、アドホックネットワークの設定は自分で設定を行うため、周りの状況を把握しないと、ＡＰ（アプリケーション）や他のアドホック通信の妨げになる危険性がある。
【０００４】
ここで、アドホック接続とは、無線ＬＡＮ（Ｌｏｃａｌ  Ａｒｅａ  Ｎｅｔｗｏｒｋ）による接続の一種であり、アクセスポイントを介さずにことを指している。また、アドホックネットワークとは、無線ＬＡＮで用いられるようなアクセスポイントを必要とせず、無線にて接続できる端末装置［パーソナルコンピュータ、ＰＤＡ（Ｐｅｒｓｏｎａｌ  Ｄｉｇｉｔａｌ  Ａｓｓｉｓｔａｎｔ）、携帯電話機等］のみで構成されたネットワークであり、自立分散型無線ネットワークともいわれる（例えば、特許文献１参照）。
【０００５】
【特許文献１】特開２００４−２２８９２６号公報
【発明の開示】
【発明が解決しようとする課題】
【０００６】
上述した従来のアドホックネットワークでは、複数の端末装置間でアドホック接続を行う際に、ユーザ自身がアドホック接続をしたい相手の端末装置にアドホック接続設定情報を作成し、事前に通知する必要があるため、作業負担が大きいという問題がある。
【０００７】
また、従来のアドホックネットワークでは、アドホック接続設定情報をユーザ自身が作成するため、周りの無線状況（ＥＳＳＩＤ、チャネル等）を把握しないと、ＡＰや他のアドホック通信の妨げになる設定を生成してしまう恐れがあるという問題がある。
【０００８】
そこで、本発明の目的は上記の問題点を解消し、いつでもアドホック接続設定情報を取得することができ、そのアドホック接続設定情報を取得した端末装置同士でアドホック接続を容易に形成することができる無線通信システム、アドホック接続設定情報配布装置、端末装置及びそれらに用いるアドホック接続設定情報配布方法並びにそのプログラムを提供することにある。
【課題を解決するための手段】
【０００９】
本発明による無線通信システムは、端末装置同士が直接無線にて接続するアドホック接続が可能な無線通信システムであって、
前記アドホック接続のためのアドホック接続設定情報を前記端末装置に常時配布するアドホック接続設定情報配布装置を備えている。
【００１０】
本発明によるアドホック接続設定情報配布装置は、端末装置同士が直接無線にて接続するアドホック接続が可能な無線通信システムにおいて、前記アドホック接続のためのアドホック接続設定情報を前記端末装置に常時配布する手段を備えている。
【００１１】
本発明による端末装置は、他の装置との間で直接無線にて接続するアドホック接続が可能な端末装置であって、前記アドホック接続のためのアドホック接続設定情報を前記他の装置に常時配布する手段を備えている。
【００１２】
本発明によるアドホック接続設定情報配布方法は、端末装置同士が直接無線にて接続するアドホック接続が可能な無線通信システムに用いるアドホック接続設定情報配布方法であって、アドホック接続設定情報配布装置が、前記アドホック接続のためのアドホック接続設定情報を前記端末装置に常時配布する処理を実行している。
【００１３】
本発明によるアドホック接続設定情報配布方法のプログラムは、端末装置同士が直接無線にて接続するアドホック接続が可能な無線通信システムに用いるアドホック接続設定情報配布方法のプログラムであって、コンピュータに、前記アドホック接続のためのアドホック接続設定情報を前記端末装置に常時配布する処理を実行させている。
【００１４】
すなわち、本発明のアドホック接続設定情報配布装置は、端末装置に対してアドホック接続設定情報を常時配布することで、ユーザがいつでもアドホック接続設定情報を取得することが可能となり、端末装置にアドホック接続設定情報を設定することで、同じアドホックネットワークの設定を共有することが可能となる。よって、本発明のアドホック接続設定情報配布装置では、アドホック接続設定情報を取得した端末装置同士でアドホック接続を容易に形成することが可能となる。
【００１５】
本発明のアドホック接続設定情報配布装置では、端末装置からの変更依頼を取得することで、配布するアドホック接続情報を変更するため、ユーザを限ったアドホックネットワークを形成することが可能となる。
【００１６】
また、本発明のアドホック接続設定情報配布装置では、周辺の無線利用状況［認証方式、ＥＳＳＩＤ（Ｅｘｔｅｎｄｅｄ  Ｓｅｒｖｉｃｅ  Ｓｅｔ  ＩＤｅｎｔｉｆｉｅｒ）、チャネル等］をサーチし、サーチ結果と異なるアドホック接続設定情報を生成して配布することによって、そのアドホック接続設定情報で形成するアドホックネットワークが周辺の無線通信の妨げとなるのを防ぐことが可能となる。
【００１７】
ここで、アドホック接続設定情報とは、端末装置同士でアドホック接続をするためのネットワーク設定情報であり、その情報内容はＥＳＳＩＤ、認証方式、ＷＥＰ（Ｗｉｒｅｄ  Ｅｑｕｉｖａｌｅｎｔ  Ｐｒｉｖａｃｙ）キー、証明書等からなる。また、アドホック接続設定情報は、端末装置のアドホック接続設定情報設定部と呼ぶ機能が解読可能なフォーマット［例えば、ＸＭＬ（ｅＸｔｅｎｓｉｂｌｅ  Ｍａｒｋ−ｕｐ  Ｌａｎｇｕａｇｅ）］で記述されている。
【００１８】
アドホック接続設定情報配布装置は、上記のアドホック接続設定情報を配布する装置であり、アドホック接続設定情報変更依頼とは、端末装置からアドホック接続設定配布装置に、配布するアドホック接続設定情報の変更を依頼する信号である。
【発明の効果】
【００１９】
本発明は、以下に述べるような構成及び動作とすることで、いつでもアドホック接続設定情報を取得することができ、そのアドホック接続設定情報を取得した端末装置同士でアドホック接続を容易に形成することができるという効果が得られる。
【発明を実施するための最良の形態】
【００２０】
次に、本発明の実施の形態について図面を参照して説明する。図１は本発明の実施の形態による無線通信システムの構成を示すブロック図である。図１において、本発明の実施の形態による無線通信システムはアドホック接続設定情報配布装置１と、無線通信システムの端末装置２−１，２−２とから構成されている。
【００２１】
アドホック接続設定情報配布装置１は制御部１１と、無線利用状況サーチ部１２と、アドホック接続設定情報生成部１３と、アドホック接続設定情報配布部１４と、アドホック接続設定情報設定部１５と、無線経由通知受信部１６と、無線インタフェース部１７と、赤外線通信部１８とから構成されている。
【００２２】
アドホック接続設定情報配布装置１は赤外線通信部１８を介して端末装置２−１，２−２に対してアドホック接続設定情報を常時配布しているので、ユーザがアドホック接続設定情報配布装置１からいつでもアドホック接続設定情報を取得することができる。
【００２３】
端末装置２−１，２−２はアドホック接続設定情報配布装置１から取得したアドホック接続設定情報を自動設定することで、同じアドホックネットワークの設定を共有することができる。この場合、アドホック接続設定情報配布装置１の無線インタフェース部１７と端末装置２−１，２−２とは現在配布されているアドホック接続設定情報のアドホックネットワークを形成することとなる。
【００２４】
よって、本発明の実施の形態でき、アドホック接続設定情報配布装置１が常時配布するアドホック接続設定情報を取得した端末装置２−１，２−２同士でアドホック接続を容易に形成することができる。
【００２５】
ここで、アドホック接続とは、無線ＬＡＮ（Ｌｏｃａｌ  Ａｒｅａ  Ｎｅｔｗｏｒｋ）による接続の一種であり、アクセスポイントを介さずに端末装置同士が直接無線にて接続することを指している。また、アドホックネットワークとは、無線ＬＡＮで用いられるようなアクセスポイントを必要とせず、無線にて接続できる端末装置［パーソナルコンピュータ、ＰＤＡ（Ｐｅｒｓｏｎａｌ  Ｄｉｇｉｔａｌ  Ａｓｓｉｓｔａｎｔ）、携帯電話機等］のみで構成されたネットワークであり、自立分散型無線ネットワークともいわれる。
【実施例１】
【００２６】
図２は本発明の第１の実施例によるアドホック接続設定情報配布装置１の機能構成を示すブロック図である。図２において、本発明の第１の実施例によるアドホック接続設定情報配布装置１は、上述した図１に示す本発明の実施の形態による無線通信システムと同様のシステム構成をとっており、制御部１１と、無線利用状況サーチ部１２と、アドホック接続設定情報生成部１３と、アドホック接続設定情報配布部１４と、アドホック接続設定情報設定部１５と、無線経由通知受信部１６と、無線インタフェース部１７と、赤外線通信部１８とから構成されている。
【００２７】
制御部１１はアドホック接続設定情報配布装置１への各機能へのデータの受渡しや制御を行う機能である。無線利用状況サーチ部１２は周辺の無線利用状況［ＥＳＳＩＤ（Ｅｘｔｅｎｄｅｄ  Ｓｅｒｖｉｃｅ  Ｓｅｔ  ＩＤｅｎｔｉｆｉｅｒ）、チャネル等］をサーチし、サーチ結果をアドホック接続設定情報生成部１３に送信する機能である。
【００２８】
アドホック接続設定情報生成部１３は無線利用状況サーチ部１２から取得したサーチ結果と異なるＥＳＳＩＤ、チャネルを用いたアドホック接続設定情報を生成する機能である。アドホック接続設定情報配布部１４はアドホック接続設定情報生成部１３から送られてきたアドホック接続設定情報を赤外線通信部１８から端末装置２−１，２−２に配布する機能である。
【００２９】
アドホック接続設定情報設定部１５はアドホック接続設定情報生成部１３から受信した新しいアドホック接続設定情報を無線インタフェース部１７に自動的に設定する機能である。
【００３０】
無線経由通知受信部１６は端末装置２−１，２−２から送信されるアドホック接続設定情報変更依頼を無線インタフェース部１７から受信する機能である。無線インタフェース部１７は無線通信を行うための機能であり、赤外線通信部１８は赤外線通信を行うための機能である。
【００３１】
図３は本発明の第１の実施例によるアドホック接続設定情報配布装置のハードウェア構成を示すブロック図である。図３において、アドホック接続設定情報配布装置１はＣＰＵ（中央処理装置）１０１と、ＣＰＵ１０１が実行する制御プログラム１０２ａを格納するメインメモリ１０２と、ＣＰＵ１０１が各種処理を実行する際に用いるデータを格納する記憶装置１０３と、無線インタフェース部１０４と、赤外線通信部１０５とから構成されている。尚、ＣＰＵ１０１とメインメモリ１０２と記憶装置１０３と無線インタフェース部１０４と赤外線通信部１０５とは内部バス１１０にて相互に接続されている。
【００３２】
記憶装置１０３は上記の無線利用状況サーチ部１２による無線利用状況サーチ結果を保持する無線利用状況サーチ結果保持部１３１と、上記のアドホック接続設定情報生成部１３で作成されたアドホック接続設定情報を保持するアドホック接続設定情報保持部１３２と、上記の無線経由通知受信部１６が受信した無線経由通知情報を保持する無線経由通知情報保持部１３３とを備えている。
【００３３】
ＣＰＵ１０１は制御プログラム１０２ａを実行し、記憶装置１０３の無線利用状況サーチ結果保持部１３１、アドホック接続設定情報保持部１３２、無線経由通知情報保持部１３３と、無線インタフェース部１０４と、赤外線通信部１０５とを用いることで、上記の図２に示す各機能を実現している。
【００３４】
図４は本発明の第１の実施例による端末装置の機能構成を示すブロック図である。図４において、端末装置２は制御部２１と、アドホック接続設定情報取得部２２と、アドホック接続設定情報設定部２３と、アドホック接続端末装置サーチ部２４と、無線経由通知送信部２５と、入出力部２６と、無線インタフェース部２７と、赤外線通信部２８とから構成されている。尚、上記の図１に示す端末装置２−１，２−２はこの端末装置２と同様の構成となっている。
【００３５】
制御部２１は端末装置２の各機能へのデータの受渡しや制御を行う機能である。アドホック接続設定情報取得部２２はアドホック接続設定情報配布装置１から配信されるアドホック接続設定情報を取得する機能である。アドホック接続設定情報設定部２３はアドホック接続設定情報取得部２２が取得したアドホック接続設定情報を無線インタフェース部２７に設定する機能である。
【００３６】
アドホック接続端末装置サーチ部２４は自装置とアドホック接続をしている端末装置を無線インタフェース部２７を通してサーチする機能である。無線経由通知送信部２５はアドホック接続設定情報配布装置１へアドホック接続設定情報変更依頼を無線インタフェース部２７から送信する機能である。
【００３７】
入出力部２６は端末装置２を操作するボタンと、端末装置２が取得した情報を表示する機能と、ユーザが操作ボタンを押すことで端末装置２に様々な操作イベントを通知する機能とを持つ。無線インタフェース部２７は無線通信を行うための機能であり、赤外線通信部２８は赤外線通信を行うための機能である。
【００３８】
図５は本発明の第１の実施例による端末装置のハードウェア構成を示すブロック図である。図５において、端末装置２はＣＰＵ（中央処理装置）２０１と、ＣＰＵ２０１が実行する制御プログラム２０２ａを格納するメインメモリ２０２と、ＣＰＵ２０１が各種処理を実行する際に用いるデータを格納する記憶装置２０３と、無線インタフェース部２０４と、赤外線通信部２０５とから構成されている。尚、ＣＰＵ２０１とメインメモリ２０２と記憶装置２０３と無線インタフェース部２０４と赤外線通信部２０５とは内部バス２１０にて相互に接続されている。
【００３９】
記憶装置２０３は上記のアドホック接続設定情報取得部２２が取得したアドホック接続設定情報を保持するアドホック接続設定情報保持部２３１と、上記のアドホック接続端末装置サーチ部２４によるアドホック接続端末装置サーチ結果を保持する無線接続端末装置サーチ結果保持部２３２と、上記の無線経由通知受信部２０５が受信した無線経由通知情報を保持する無線経由通知情報保持部２３３とを備えている。
【００４０】
ＣＰＵ２０１は制御プログラム２０２ａを実行し、記憶装置２０３のアドホック接続設定情報保持部２３１、無線利用状況サーチ結果保持部２３２、無線経由通知情報保持部２３３と、無線インタフェース部２０４と、赤外線通信部２０５とを用いることで、上記の図４に示す各機能を実現している。
【００４１】
図６は図２に示すアドホック接続設定情報配布装置１によるアドホック接続設定情報の配布動作を示すフローチャートであり、図７は図４に示す端末装置２によるアドホック接続設定情報の設定動作を示すフローチャートである。図８は図４に示す端末装置２によるアドホック接続している端末装置のサーチ動作を示すフローチャートであり、図９は図４に示す端末装置２によるアドホック接続設定情報の変更依頼動作を示すフローチャートであり、図１０は図２に示すアドホック接続設定情報配布装置１によるアドホック接続設定情報の配布再開動作を示すフローチャートである。
【００４２】
これら図１〜図１０を参照して本発明の第１の実施例による無線通信システムの動作について説明する。尚、図６及び図１０に示す動作はアドホック接続設定情報配布装置１においてＣＰＵ１０１が制御プログラム１０２ａを実行することで実現され、図７〜図９に示す動作は端末装置２においてＣＰＵ２０１が制御プログラム２０２ａを実行することで実現される。また、以下の説明では端末装置２−１，２−２をまとめて端末装置２と表記する。
【００４３】
アドホック接続設定情報配布装置１はアドホック接続設定情報を配布する場合、無線利用状況サーチ部１２にて周辺の無線利用状況をサーチする（図６ステップＳ１）。具体的にサーチする内容はＥＳＳＩＤやチャネル等である。
【００４４】
続いて、アドホック接続設定情報配布装置１はアドホック接続設定情報生成部１３にて無線利用状況サーチ部１２がサーチした内容と異なるＥＳＳＩＤ、チャネルのアドホック接続設定情報を生成し（図６ステップＳ２）、アドホック接続設定情報設定部１５にてアドホック接続設定情報生成部１３が生成したアドホック接続設定情報を無線インタフェース部１７に設定する（図６ステップＳ３）。
【００４５】
最後に、アドホック接続設定情報配布装置１はアドホック接続設定情報配布部１４にてアドホック接続設定情報生成部１３が生成したアドホック接続設定情報を赤外線通信部１８から端末装置２に配布する（図６ステップＳ４）。
【００４６】
端末装置２は他の端末装置やネットワーク機器とアドホック接続する場合、ユーザがアドホック接続設定情報配布装置１の赤外線通信部１８に端末装置２の赤外線通信部２８をかざし、入出力部２６のアドホック接続設定情報取得ボタンを押下すると、入出力部２６からアドホック接続設定情報取得イベントが発生し、制御部２１がアドホック接続設定情報取得イベントを取得する（図７ステップＳ１１）。
【００４７】
端末装置２はアドホック接続設定情報取得部２２にて赤外線通信部２８からアドホック接続設定情報を取得し（図７ステップＳ１２）、アドホック接続設定情報設定部２３にてアドホック接続設定情報取得部２２が取得したアドホック接続設定情報を無線インタフェース部２７に設定する（図７ステップＳ１３）。
【００４８】
次に、端末装置２はアドホック接続している端末装置を表示する場合、ユーザが入出力部２６のアドホック接続端末装置表示ボタンを押下すると、入出力部２６からアドホック接続端末装置表示イベントが発生し、制御部２１がアドホック接続端末装置表示イベントを取得する（図８ステップＳ２１）。
【００４９】
端末装置２はアドホック接続端末装置サーチ部２４にて自装置とアドホック接続している端末装置をサーチし（図８ステップＳ２２）、入出力部２６にてサーチ結果を表示する（図８ステップＳ２３）。この場合、サーチする内容はサーチした時点でアドホック接続している端末の数、アドホック接続している端末装置のＭＡＣ  ＩＤ（Ｍｅｄｉａ  Ａｃｃｅｓｓ  Ｃｏｎｔｒｏｌ  ＩＤｅｎｔｉｆｉｅｒ）である。
【００５０】
また、端末装置２はアドホック接続設定情報変更依頼を送信する場合、この手順は上記の設定手順が完了し、アドホック接続している端末装置のサーチ結果表示手順で接続している端末装置を確認した結果、予定していた全ての端末装置の接続が完了し、かつこれ以上のアドホック接続を許可しないと判断した状態から始まる。
【００５１】
端末装置２はユーザが入出力部２６のアドホック接続設定情報変更依頼ボタンを押下すると、入出力部２６からアドホック接続設定情報変更依頼イベントが発生し、制御部２１がアドホック接続設定情報変更依頼を取得する（図９ステップＳ３１）。端末装置２は無線経由通知送信部２５にて無線インタフェース部２７からアドホック接続設定情報配布装置１へアドホック接続設定情報変更依頼を送信する（図９ステップＳ３２）。
【００５２】
さらに、アドホック接続設定情報配布装置１は現在配布しているアドホック接続設定情報を変更する場合、無線経由通知受信部１６にて端末装置２から送信されたアドホック接続設定情報変更依頼を無線インタフェース部１７から受信すると（図１０ステップＳ４１）、アドホック接続設定情報配布部１４にてアドホック接続設定情報の配布を停止する（図１０ステップＳ４２）。
【００５３】
その後、アドホック接続設定情報配布装置１は無線利用状況サーチ部１２にて周辺の無線利用状況をサーチし（図１０ステップＳ４３）、アドホック接続設定情報生成部１３にて無線利用状況サーチ部１２がサーチした内容と異なるＥＳＳＩＤ、チャネルのアドホック接続設定情報を生成する（図１０ステップＳ４４）。
【００５４】
アドホック接続設定情報配布装置１はアドホック接続設定情報設定部１５にてアドホック接続設定情報生成部１３が生成した新しいアドホック接続設定情報を無線インタフェース部１７に設定する（図１０ステップＳ４５）。アドホック接続設定情報配布装置１はアドホック接続設定情報配布部１４にてアドホック接続設定情報生成部１３が生成した新しいアドホック接続設定情報の赤外線通信部１８からの配布を再開する（図１０ステップＳ４６）。
【００５５】
このように、本発明の第１の実施例では、アドホック接続設定情報配布装置１がアドホック接続設定情報を常時配布することで、端末装置２のユーザはいつでもアドホック接続設定情報を取得することができる。また、本発明の第１の実施例では、端末装置２にアドホック接続設定情報を設定することで、同じアドホックネットワークの設定を共有することができ、アドホック接続設定情報を取得した端末装置同士でアドホック接続を容易に形成することができる。
【００５６】
本発明の第１の実施例では、アドホック接続設定情報配布装置１が端末装置２からの変更依頼を取得することで、配布するアドホック接続情報を変更するため、ユーザを限ったアドホックネットワークを形成することができる。
【００５７】
本発明の第１の実施例では、アドホック接続設定情報配布装置１がアドホック接続設定情報を取得して設定している端末装置２のみを変更することができるため、いたずらにアドホック接続設定情報を変更されることがない。
【００５８】
本発明の第１の実施例では、アドホック接続設定情報配布装置１が周辺の無線利用状況（ＥＳＳＩＤ、チャネル等）をサーチし、サーチ結果と異なるアドホック接続設定情報を生成して配布しいるので、アドホック接続設定情報配布装置１が配布するアドホック接続設定情報によって形成するアドホックネットワークによる周辺の無線通信が妨げられるのを防ぐことができる。
【実施例２】
【００５９】
図１１は本発明の第２の実施例によるアドホック接続設定情報配布装置の機能構成を示すブロック図である。図１１において、本発明の第２の実施例によるアドホック接続設定情報配布装置３の構成は、無線経由アドホック接続設定情報送信部３１を設けた以外は、図２に示す本発明の第１の実施例によるアドホック接続設定情報配布装置１と同様であり、同一構成要素には同一符号を付してある。但し、本発明の第２の実施例によるアドホック接続設定情報配布装置３のハードウェア構成は図３に示す構成と同様である。
【００６０】
無線経由アドホック接続設定情報送信部３１はアドホック接続設定情報生成部１３から送られてきたアドホック接続設定情報を無線インタフェース部１７から端末装置２−１，２−２に配布する機能である。
【００６１】
図１２は本発明の第２の実施例による端末装置の機能構成を示すブロック図である。図１２において、本発明の第２の実施例による端末装置４の構成は、無線経由アドホック接続設定情報受信部４１を設けた以外は、図４に示す本発明の第１の実施例による端末装置２と同様であり、同一構成要素には同一符号を付してある。但し、本発明の第２の実施例による端末装置４のハードウェア構成は図５に示す構成と同様である。
【００６２】
無線経由アドホック接続設定情報受信部４１はアドホック接続設定情報配布装置１から無線経由で配布されるアドホック接続設定情報を無線インタフェース部２７から取得する機能である。
【００６３】
図１３は図１２に示す端末装置４による無線経由アドホック接続設定情報の配布依頼動作を示すフローチャートであり、図１４は図１１に示すアドホック接続設定情報配布装置３によるアドホック接続設定情報の配布動作を示すフローチャートであり、図１５は図１２に示す端末装置４によるアドホック接続設定情報の設定動作を示すフローチャートである。
【００６４】
これら図１と図１１〜図１５とを参照して本発明の第２の実施例による無線通信システムの動作について説明する。尚、図１４に示す動作はアドホック接続設定情報配布装置３においてＣＰＵ１０１が制御プログラム１０２ａを実行することで実現され、図１３及び図１５に示す動作は端末装置４においてＣＰＵ２０１が制御プログラム２０２ａを実行することで実現される。また、以下の説明では端末装置２−１，２−２をまとめて端末装置２と表記する。
【００６５】
本発明の第２の実施例による無線通信システムの動作は以下に示す順序で行われる。つまり、図６に示すアドホック接続設定情報配布装置３によるアドホック接続設定情報の配布、図７に示す端末装置４によるアドホック接続設定情報の設定、図８に示す端末装置４によるアドホック接続している端末装置のサーチ、図１３に示す端末装置４による無線経由アドホック接続設定情報の配布依頼、図１４に示すアドホック接続設定情報配布装置３によるアドホック接続設定情報の配布、図１５に示す端末装置４によるアドホック接続設定情報の設定、図８に示す端末装置４によるアドホック接続している端末装置のサーチ、図９に示す端末装置４によるアドホック接続設定情報の変更依頼、図１０に示すアドホック接続設定情報配布装置３によるアドホック接続設定情報の配布再開という順序で本発明の第２の実施例による無線通信システムの動作が行われる。以下の説明では、本発明の第２の実施例による無線通信システムの動作が本発明の第１の実施例による無線通信システムの動作と異なっている点について述べる。
【００６６】
端末装置４はアドホック接続設定情報変更依頼を送信する場合、ユーザが入出力部２６の無線経由アドホック接続設定情報配布依頼イベントボタンを押下すると、入出力部２６から無線経由アドホック接続設定情報配布依頼イベントが発生し、制御部２１が無線経由アドホック接続設定情報配布依頼イベントを取得する（図１３ステップＳ５１）。
【００６７】
端末装置４は無線経由アドホック接続設定情報送信部４１にて無線インタフェース部２７からアドホック接続設定情報配布装置３へ無線経由アドホック接続設定情報配布依頼を送信する（図１３ステップＳ５２）。
【００６８】
アドホック接続設定情報配布装置３は無線経由アドホック接続設定情報配布依頼を受信する場合、無線経由通知受信部１６にて端末装置２から送信された無線経由アドホック接続設定情報配布依頼を無線インタフェース部１７から受信すると（図１４ステップＳ６１）、アドホック接続設定情報配布部１４にてアドホック接続設定情報の配布を停止する（図１４ステップＳ６２）。
【００６９】
その後、アドホック接続設定情報配布装置３は無線利用状況サーチ部１２にて周辺の無線利用状況をサーチし（図１４ステップＳ６３）、アドホック接続設定情報生成部１３にて無線利用状況サーチ部１２がサーチした内容と異なるＥＳＳＩＤ、チャネルのアドホック接続設定情報を生成する（図１４ステップＳ６４）。
【００７０】
アドホック接続設定情報配布装置３はアドホック接続設定情報設定部１５にてアドホック接続設定情報生成部１３が生成した新しいアドホック接続設定情報を無線インタフェース部１７に設定する（図１４ステップＳ６５）。アドホック接続設定情報配布装置３は無線経由アドホック接続設定情報送信部３１にてアドホック接続設定情報生成部１３が生成した新しいアドホック接続設定情報を無線インタフェース部１７から配布する（図１４ステップＳ６６）。
【００７１】
端末装置４は他の端末装置やネットワーク機器とアドホック接続する場合、無線経由アドホック接続設定情報受信部４１にて無線インタフェース部２７からアドホック接続設定情報を取得し（図１５ステップＳ７１）、アドホック接続設定情報設定部２３にて無線経由アドホック接続設定情報受信部４１が取得したアドホック接続設定情報を無線インタフェース部２７に設定する（図１５ステップＳ７２）。
【００７２】
但し、アドホック接続設定情報の変更時や赤外線通信部１８からのアドホック接続設定情報の配布への変更時には、無線経由アドホック接続設定情報送信部３１による無線インターフェース部１７からのアドホック接続設定情報の配布を停止する。
【００７３】
このように、本発明の第２の実施例では、誰でもアドホック接続設定情報を取得し、その後、メンバーを選択してそのメンバーに新たに設定情報を配布するため、事前の情報共有なしに、メンバーを限ったアドホックネットワークを形成することができる。
【実施例３】
【００７４】
図１６は本発明の第３の実施例によるアドホック接続設定情報配布装置の機能構成を示すブロック図である。図１６において、本発明の第３の実施例によるアドホック接続設定情報配布装置５の構成は、アドホック接続端末装置サーチ部５１を設けた以外は、図１１に示す本発明の第２の実施例によるアドホック接続設定情報配布装置３と同様であり、同一構成要素には同一符号を付してある。但し、本発明の第３の実施例によるアドホック接続設定情報配布装置５のハードウェア構成は図３に示す構成と同様である。
【００７５】
アドホック接続端末装置サーチ部５１はアドホック接続設定情報配布装置５とアドホック接続をしている端末装置２−１，２−２を無線インタフェース部１７を通してサーチする機能である。アドホック接続端末装置サーチ部５１がサーチする内容はアドホック接続している端末装置の台数である。
【００７６】
図１７は図１２に示す端末装置４によるアドホック接続端末装置台数の指定依頼動作を示すフローチャートであり、図１８は図１６に示すアドホック接続設定情報配布装置５による配布しているアドホック接続設定情報の変更動作を示すフローチャートであり、図１９は図１６に示すアドホック接続設定情報配布装置５によるアドホック接続設定情報の配布再開動作を示すフローチャートである。
【００７７】
これら図１と図１６〜図１９とを参照して本発明の第３の実施例による無線通信システムの動作について説明する。尚、図１８及び図１９に示す動作はアドホック接続設定情報配布装置５においてＣＰＵ１０１が制御プログラム１０２ａを実行することで実現され、図１７に示す動作は端末装置４においてＣＰＵ２０１が制御プログラム２０２ａを実行することで実現される。また、以下の説明では端末装置２−１，２−２をまとめて端末装置２と表記する。
【００７８】
本発明の第３の実施例による無線通信システムの動作は以下に示す順序で行われる。つまり、図６に示すアドホック接続設定情報配布装置５によるアドホック接続設定情報の配布、図７に示す端末装置４によるアドホック接続設定情報の設定、図１７に示す端末装置４によるアドホック接続端末装置台数の指定依頼、図１８に示すアドホック接続設定情報配布装置５による配布しているアドホック接続設定情報の変更、図７に示す端末装置４によるアドホック接続設定情報の設定、図１９に示すアドホック接続設定情報配布装置５によるアドホック接続設定情報の配布再開という順序で本発明の第３の実施例による無線通信システムの動作が行われる。以下の説明では、本発明の第３の実施例による無線通信システムの動作が本発明の第２の実施例による無線通信システムの動作と異なっている点について述べる。
【００７９】
また、図１８に示すアドホック接続設定情報配布装置５による配布しているアドホック接続設定情報の変更では、無線インタフェース部２７からアドホック接続端末装置台数指定依頼を送信した端末装置４に、変更したアドホック接続設定情報を配布する。
【００８０】
端末装置４はアドホック接続端末装置台数指定依頼を送信する場合、ユーザが入出力部２６のアドホック接続端末装置台数指定依頼ボタンを押下すると（アドホック接続する台数を指定すると）、入出力部１６からアドホック接続端末装置台数の指定依頼イベントが発生し、制御部２１がアドホック接続端末装置台数の指定依頼イベントを取得する（図１７ステップＳ８１）。
【００８１】
端末装置４は無線経由通知送信部２５が無線インタフェース部２７からアドホック接続設定情報配布装置５へアドホック接続端末装置台数の指定依頼を送信する（図１７ステップＳ８２）。
【００８２】
アドホック接続設定情報配布装置５は配布しているアドホック接続設定情報を変更する場合、無線経由通知受信部１６にてアドホック接続端末装置台数の指定依頼を無線インタフェース部１７から受信すると（図１８ステップＳ９１）、アドホック接続設定情報配布部１４にてアドホック接続設定情報の配布を停止する（図１８ステップＳ９２）。
【００８３】
その後、アドホック接続設定情報配布装置５は無線利用状況サーチ部１２にて周辺の無線利用状況をサーチし（図１８ステップＳ９３）、アドホック接続設定情報生成部１３にて無線利用状況サーチ部１２がサーチした内容と異なるＥＳＳＩＤ、チャネルのアドホック接続設定情報を生成する（図１８ステップＳ９４）。
【００８４】
アドホック接続設定情報配布装置５はアドホック接続設定情報設定部１５にてアドホック接続設定情報生成部１３が生成した新しいアドホック接続設定情報を無線インタフェース部１７に設定する（図１８ステップＳ９５）。アドホック接続設定情報配布装置５は無線経由アドホック接続設定情報送信部３１にてアドホック接続設定情報生成部１３が生成した新しいアドホック接続設定情報を無線インタフェース部１７からアドホック接続端末装置台数指定依頼を送信した端末装置に配布する（図１８ステップＳ９６）。
【００８５】
その後に、アドホック接続設定情報配布装置５はアドホック接続設定情報配布部１４にてアドホック接続設定情報生成部１３が生成した新しいアドホック接続設定情報の赤外線通信部１８からの配布を再開する（図１８ステップＳ９７）。
【００８６】
アドホック接続設定情報配布装置５は配布しているアドホック接続設定情報を変更する場合、アドホック接続端末装置サーチ部５１にてアドホック接続設定情報配布装置５とアドホック接続している端末装置をサーチする（図１９ステップＳ１０１）。この場合、サーチする内容はサーチした時点でアドホック接続している端末装置の数である。
【００８７】
アドホック接続設定情報配布装置５はアドホック接続端末装置サーチ部５１にてサーチした結果がアドホック接続端末装置台数指定依頼の指定された台数に達しているかどうかを判断し（図１９ステップＳ１０２）、サーチ結果がアドホック接続端末装置台数指定依頼の指定された台数に達していれば、アドホック接続設定情報配布部１４にてアドホック接続設定情報の配布を停止する（図１９ステップＳ１０３）。
【００８８】
その後、アドホック接続設定情報配布装置５は無線利用状況サーチ部１２にて周辺の無線利用状況をサーチし（図１９ステップＳ１０４）、アドホック接続設定情報生成部１３にて無線利用状況サーチ部１２がサーチした内容と異なるＥＳＳＩＤ、チャネルのアドホック接続設定情報を生成する（図１９ステップＳ１０５）。
【００８９】
アドホック接続設定情報配布装置５はアドホック接続設定情報設定部１５にてアドホック接続設定情報生成部１３が生成した新しいアドホック接続設定情報を無線インタフェース部１７に設定する（図１９ステップＳ１０６）。アドホック接続設定情報配布装置５はアドホック接続設定情報配布部１４にてアドホック接続設定情報生成部１３が生成した新しいアドホック接続設定情報の赤外線通信部１８からの配布を再開する（図１９ステップＳ１０７）。
【００９０】
このように、本発明の第３の実施例では、アドホック接続設定情報配布装置５においてアドホック接続している端末装置数を数え、アドホック接続する端末装置の台数が端末装置から指定された制限台数に達したのを確認した時に、配布するアドホック接続設定情報を変更することによって、アドホック接続する端末装置の台数を制限することができる。
【００９１】
尚、上記の各実施例では、情報配信媒体として無線や赤外線を用いてアドホック接続設定情報を配布しているが、他の情報配信媒体として可視光、ｂｌｕｅｔｏｏｔｈ（登録商標）、非接触ＩＣ（集積回路）カード、ＱＲ（Ｑｕｉｃｋ  Ｒｅｓｐｏｎｓｅ）コード、ＲＦＩＤ（Ｒａｄｉｏ  Ｆｒｅｑｕｅｎｃｙ  ＩＤｅｎｔｉｆｉｃａｔｉｏｎ）タグ等を用いることも可能である。
【００９２】
また、上記の各実施例では、アドホック接続設定情報配布装置１，３，５を設けているが、アドホック接続設定情報配布装置１，３，５に搭載された機能を端末装置２，２−１，２−２，４のいずれかに搭載することも可能であり、上記の実施例に限定されるものではない。この場合、アドホック接続設定情報配布装置の機能が搭載された端末装置によって、ユーザはいつでもアドホックネットワークを構築することができる。
【産業上の利用可能性】
【００９３】
本発明は、ＰＣ（パーソナルコンピュータ）、ＰＤＡ（Ｐｅｒｓｏｎａｌ  Ｄｉｇｉｔａｌ  Ａｓｓｉｓｔａｎｔ）、無線携帯電話機等の無線アドホック接続が可能な端末装置に適用することが可能である。
【図面の簡単な説明】
【００９４】
【図１】本発明の実施の形態による無線通信システムの構成を示すブロック図である。
【図２】本発明の第１の実施例によるアドホック接続設定情報配布装置の機能構成を示すブロック図である。
【図３】本発明の第１の実施例によるアドホック接続設定情報配布装置のハードウェア構成を示すブロック図である。
【図４】本発明の第１の実施例による端末装置の機能構成を示すブロック図である。
【図５】本発明の第１の実施例による端末装置のハードウェア構成を示すブロック図である。
【図６】図２に示すアドホック接続設定情報配布装置によるアドホック接続設定情報の配布動作を示すフローチャートである。
【図７】図４に示す端末装置によるアドホック接続設定情報の設定動作を示すフローチャートである。
【図８】図４に示す端末装置によるアドホック接続している端末装置のサーチ動作を示すフローチャートである。
【図９】図４に示す端末装置によるアドホック接続設定情報の変更依頼動作を示すフローチャートである。
【図１０】図２に示すアドホック接続設定情報配布装置によるアドホック接続設定情報の配布再開動作を示すフローチャートである。
【図１１】本発明の第２の実施例によるアドホック接続設定情報配布装置の機能構成を示すブロック図である。
【図１２】本発明の第２の実施例による端末装置の機能構成を示すブロック図である。
【図１３】図１２に示す端末装置による無線経由アドホック接続設定情報の配布依頼動作を示すフローチャートである。
【図１４】図１１に示すアドホック接続設定情報配布装置によるアドホック接続設定情報の配布動作を示すフローチャートである。
【図１５】図１２に示す端末装置によるアドホック接続設定情報の設定動作を示すフローチャートである。
【図１６】本発明の第３の実施例によるアドホック接続設定情報配布装置の機能構成を示すブロック図である。
【図１７】図１２に示す端末装置によるアドホック接続端末装置台数の指定依頼動作を示すフローチャートである。
【図１８】図１６に示すアドホック接続設定情報配布装置による配布しているアドホック接続設定情報の変更動作を示すフローチャートである。図１６に示すアドホック接続設定情報配布装置５によるアドホック接続設定情報の配布再開動作を示すフローチャートである。
【図１９】図１６に示すアドホック接続設定情報配布装置によるアドホック接続設定情報の配布再開動作を示すフローチャートである。
【符号の説明】
【００９５】
１，３，５  アドホック接続設定情報配布装置
２，２−１，２−２，４  端末装置
１１，２１  制御部
１２  無線利用状況サーチ部
１３  アドホック接続設定情報生成部
１４  アドホック接続設定情報配布部
１５，２３  アドホック接続設定情報設定部
１６  無線経由通知受信部
１７，２７，１０４，２０４  無線インタフェース部
１８，２８，１０５，２０５  赤外線通信部
２２  アドホック接続設定情報取得部
２４  アドホック接続端末装置サーチ部
２５  無線経由通知送信部
２６  入出力部
３１  無線経由アドホック接続設定情報送信部
４１  無線経由アドホック接続設定情報受信部
５１  アドホック接続端末装置サーチ部
１０１，２０１  ＣＰＵ
１０２，２０２  メインメモリ
１０２ａ，２０２ａ  制御プログラム
１０３，２０３  記憶装置
１１０，２１０  内部バス
１３１  無線利用状況サーチ結果保持部
１３２，２３１  アドホック接続設定情報保持部
１３３，２３３  無線経由通知情報保持部
２３２  無線接続端末装置サーチ結果保持部
【図１】
2006310996.tif 000003
【図２】
2006310996.tif 000004
【図３】
2006310996.tif 000005
【図４】
2006310996.tif 000006
【図５】
2006310996.tif 000007
【図６】
2006310996.tif 000008
【図７】
2006310996.tif 000009
【図８】
2006310996.tif 000010
【図９】
2006310996.tif 000011
【図１０】
2006310996.tif 000012
【図１１】
2006310996.tif 000013
【図１２】
2006310996.tif 000014
【図１３】
2006310996.tif 000015
【図１４】
2006310996.tif 000016
【図１５】
2006310996.tif 000017
【図１６】
2006310996.tif 000018
【図１７】
2006310996.tif 000019
【図１８】
2006310996.tif 000020
【図１９】
2006310996.tif 000021